(57)【特許請求の範囲】
【請求項１】
冷却空間と少なくとも１つの貯蔵空間を有する筐体と、
前記筐体に取り付けられ、前記筐体の前記貯蔵空間の開口方向に平行な前後方向に沿って順次配置される複数の空気通路層を有する空気通路部材と、を備え、
各前記空気通路層は１つまたは複数の空気通路を有し、且つ前記冷却空間から流出する気流が各前記空気通路層の１つまたは複数の前記空気通路を介して少なくとも１つの前記貯蔵空間に流れ、
周壁部、前記周壁部の前端に配置される第１の軸方向端部と、前記周壁部の後端に配置される第２の軸方向端部とを有する送風装置を更に含み、前記周壁部上に複数の第１の空気出口が配置され、前記第１の軸方向端部上に少なくとも１つの第２の空気出口が配置され、前記第２の軸方向端部上に空気入口が配置され、
前記空気通路部材内に前記送風装置を収納するための収納室を更に有し、
複数の前記空気通路層は第１の空気通路層と前記第１の空気通路層の前面側に位置する第２の空気通路層とを含み、前記第１の空気通路層は複数の第１の空気通路を含み、前記第２の空気通路層は１つまたは複数の第２の空気通路を含み、
前記冷却空間が前記空気通路部材の後側に位置し、前記空気入口が前記冷却空間に対向し、前記冷却空間から流出する気流が前記送風装置の前記複数の第１の空気出口及び前記複数の第１の空気通路を介して少なくとも１つの前記貯蔵空間に流れ、前記冷却空間から流出する気流が前記送風装置の少なくとも１つの前記第２の空気出口及び１つまたは複数の前記第２の空気通路を介して少なくとも１つの前記貯蔵空間に流れることを特徴とする冷蔵庫。
【請求項２】
前記空気通路部材は、各前記第１の空気通路の端部に配置され、且つ前方へ開口した第１の送風口と、各前記第２の空気通路の端部に配置され、且つ前方へ開口した第２の送風口とを更に有することを特徴とする請求項１に記載の冷蔵庫。
【請求項３】
前記収納室が前記空気通路部材の中央部または上部に位置し、
複数の前記第１の空気出口は、前記周壁部の下側に配置される空気出口１と、前記空気出口１の両側に配置される空気出口２と空気出口３を含み、
複数の前記第１の空気通路は空気通路１、空気通路２、空気通路３と空気通路４を含み、
前記空気通路１は前記空気出口２から前記空気通路部材の上部の横方向の一方側へ延出し、前記空気通路２は前記空気出口２から上方へ延出した後前記収納室の上側から前記空気通路部材の上部の横方向の他方側へ延出し、
前記空気通路３は前記空気出口１から下方へ延出し、
前記空気通路４は前記空気出口３から下方へ延出し、且つ前記空気通路４の端部が前記空気通路３の端部の下方に位置し、
前記複数の第２の空気通路は空気通路５と空気通路６を含み、前記第２の空気出口は複数であり、前記第２の空気通路層は、前記第１の軸方向端部の前面側に配置され前記複数の第２の空気出口と連通する収集室を更に有し、
前記空気通路５と前記空気通路６が前記収集室の上側周壁からそれぞれ前記空気通路部材の上部の横方向の両側へ延出し、且つ前記空気通路５の端部と前記空気通路６の端部が前記空気通路１及び前記空気通路２の上方に位置することを特徴とする請求項２に記載の冷蔵庫。
【請求項４】
少なくとも１つの前記貯蔵空間は、上から下へ順次配置される上層トレイ空間、上層引き出し空間、下層トレイ空間と下層引き出し空間を含み、
前記空気通路５及び前記空気通路６は前記上層トレイ空間と連通し、
前記空気通路１及び前記空気通路２は前記上層引き出し空間と連通し、
前記空気通路３は前記下層トレイ空間と連通し、
前記空気通路４は前記下層引き出し空間と連通することを特徴とする請求項３に記載の冷蔵庫。
【請求項５】
前記空気通路部材は、リアケースと、前記リアケースの前面側に取付けられた第１のフロントカバーと、前記第１のフロントカバーの前面側に取付けられた第２のフロントカバーとを含み、
前記第１の空気通路層及び前記収納室は前記第１のフロントカバーの後側に位置し、
前記第２の空気通路層は前記第１のフロントカバーの前面側に位置することを特徴とする請求項１に記載の冷蔵庫。
【請求項６】
前記リアケースは、後壁と、前記後壁の上部から前方へ延出する収納室壁と、前記後壁から前方へ延出する第１の空気通路壁とを含み、
前記第１のフロントカバーはカバープレートと、前記カバープレートから前方へ延出する第２の空気通路壁とを有し、
前記後壁、前記収納室壁及び前記カバープレートによって前記収納室を区画し、
前記後壁、前記第１の空気通路壁及び前記カバープレートによって前記複数の第１の空気通路を区画し、
前記カバープレート、前記第２の空気通路壁及び前記第２のフロントカバーによって１つまたは複数の前記第２の空気通路を区画し、且つ前記カバープレート上に少なくとも１つの連通穴が設けられ、各前記第２の空気出口は、各前記第２の空気出口が１つの前記連通穴を介して１つまたは複数の前記第２の空気通路と連通するように、１つの前記連通穴と位置をあわせ、
前記空気通路部材は、前記リアケースの下端から前方へ延出し、１本又は複数本の空気戻り通路を有する空気戻り通路ケースを更に含むことを特徴とする請求項５に記載の冷蔵庫。
【請求項７】
前記送風装置は、気流を前記空気入口から前記周壁部内へ流入させるように構成される遠心ファンをさらに含むことを特徴とする請求項１に記載の冷蔵庫。
【請求項８】
前記送風装置は、
前記周壁部に対して回転可能に前記周壁部内に配置され、前記複数の第１の空気出口のそれぞれの送風面積を調整するために、異なる移動位置で各前記第１の空気出口を完全に遮蔽、部分的遮蔽または完全に露出させるように構成される調整部を更に含むことを特徴とする請求項１に記載の冷蔵庫。
【請求項９】
前記第２の空気出口の数は複数であり、複数の前記第２の空気出口は前記第１の軸方向端部の周方向に沿って順次配置され、
２つの隣接する前記第２の空気出口の間の前記周壁部の周壁セグメント上に１つの前記第１の空気出口が配置されることを特徴とする請求項１に記載の冷蔵庫。
【発明の詳細な説明】
【技術分野】
【０００１】
本出願は、出願日が２０１７年６月２９日であり、出願番号が２０１７１０５１７０４１．１であり、発明名称が「冷蔵庫」である中国特許出願の優先権を主張し、当該出願の全文が引用により本出願に組み込まれる。
【０００２】
本発明は、冷蔵冷凍貯蔵の分野に関し、特に冷蔵庫に関する。
【背景技術】
【０００３】
近年、人々の生活水準の向上および環境意識の高まりに伴い、冷蔵庫に対する要求は、低温冷蔵の保存性能から食品の鮮度保持性能へと移行している。したがって、空冷式冷蔵庫は徐々に人々に好まれている。空冷式冷蔵庫の場合に、食品の鮮度保持性能は、空冷式冷蔵庫の貯蔵区画内の気流循環および庫内の様々な部分間の温度差に高く左右される。庫内の気流は合理的で、温度差が小さければ小さいほど、冷蔵庫の鮮度保持性能は良くなる。冷蔵庫の気流サイクルが妥当であるかどうかを決定する重要な要素は、風が貯蔵室の妥当な場所にどのように供給されるかを決定する空気通路である。現在、市販されている空冷式冷蔵庫の気道設計では、ほとんどの空冷式冷蔵庫は別々の収納室に蒸発器を備えており、これは複雑な送風管システムを使用して蒸発器の収納室を各貯蔵空間に接続する必要があるので、既存の空気通路システムの設計は比較的複雑であり、構造は大型化になり、そして既存の空気通路システムの構造の制限に起因して意図する位置に送風することができなくなる。
【発明の概要】
【発明が解決しようとする課題】
【０００４】
本発明は、既存の空冷式冷蔵庫の欠点の少なくとも１つを克服し、冷蔵庫の構造・設計が合理的でかつ効率的な空気供給を可能にする特別な空気通路システムを有する新規な冷蔵庫を提供することを目的とする。
【課題を解決するための手段】
【０００５】
特に、本発明は、
冷却空間及び少なくとも１つの貯蔵空間を有する筐体と、
前記筐体に取り付けられ、前記筐体の前記貯蔵空間の開口方向に平行な前後方向に沿って順次に配置される複数の空気通路層を有する空気通路部材と、を備え、
各前記空気通路層は１つまたは複数の空気通路を有し、且つ前記冷却空間から流出する気流が各前記空気通路層の１つまたは複数の前記空気通路を介して少なくとも１つの前記貯蔵空間に流れる。そして、周壁部、前記周壁部の前端に配置される第１の軸方向端部と、前記周壁部の後端に配置される第２の軸方向端部とを有する送風装置を更に含み、前記周壁部上に複数の第１の空気出口が配置され、前記第１の軸方向端部上に少なくとも１つの第２の空気出口が配置され、前記第２の軸方向端部上に空気入口が配置され、前記空気通路部材内に前記送風装置を収納するための収納室を更に有し、複数の前記空気通路層は第１の空気通路層と前記第１の空気通路層の前面側に位置する第２の空気通路層とを含み、前記第１の空気通路層は複数の第１の空気通路を含み、前記第２の空気通路層は１つまたは複数の第２の空気通路を含み、前記冷却空間が前記空気通路部材の後側に位置し、前記空気入口が前記冷却空間に対向し、前記冷却空間から流出する気流が前記送風装置の前記複数の第１の空気出口及び前記複数の第１の空気通路を介して少なくとも１つの前記貯蔵空間に流れ、前記冷却空間から流出する気流が前記送風装置の少なくとも１つの前記第２の空気出口及び１つまたは複数の前記第２の空気通路を介して少なくとも１つの前記貯蔵空間に流れる冷蔵庫を提供する。
【０００７】
また、前記空気通路部材は、各前記第１の空気通路の端部に配置され前方へ開口した第１の送風口と、各前記第２の空気通路の端部に配置され前方へ開口した第２の送風口とを更に備えてもよい。
【０００８】
また、前記収納室は前記空気通路部材の中央部または上部に位置し、
複数の前記第１の空気出口は空気出口１、空気出口２と空気出口３を含み、前記空気出口１が前記周壁部の下側に配置され、前記空気出口２と前記空気出口３が前記空気出口１の両側に配置され、
複数の前記第１の空気通路は空気通路１、空気通路２、空気通路３と空気通路４を含み、
前記空気通路１が前記空気出口２から前記空気通路部材の上部の横方向の一方側へ延出し、前記空気通路２が前記空気出口２から上方へ延出した後に前記収納室の上側から前記空気通路部材の上部の横方向の他方側へ延出し、
前記空気通路３が前記空気出口１から下方へ延出し、
前記空気通路４が前記空気出口３から下方へ延出し、且つ前記空気通路４の端部が前記空気通路３の端部の下方に位置し、
前記複数の第２の空気通路は空気通路５と空気通路６を含み、前記第２の空気出口が複数であり、前記第２の空気通路層は、前記第１の軸方向端部の前面側に配置され前記複数の第２の空気出口と連通する収集室を更に有し、
前記空気通路５と前記空気通路６とが前記収集室の上側周壁からそれぞれ前記空気通路部材の上部の横方向の両側へ延出し、且つ前記空気通路５の端部と前記空気通路６の端部が前記空気通路１と前記空気通路２の上方に位置してもよい。
【０００９】
また、少なくとも１つの前記貯蔵空間は上から下へ順次配置される上層トレイ空間と、上層引き出し空間と、下層トレイ空間と下層引き出し空間を含み、且つ
前記空気通路５と前記空気通路６とが前記上層トレイ空間と連通し、
前記空気通路１と前記空気通路２とが前記上層引き出し空間に連通し、
前記空気通路３が前記下層トレイ空間と連通し、
前記空気通路４が前記下層引き出し空間と連通してもよい。
【００１０】
また、前記空気通路部材は、リアケースと、前記リアケース前面側に取付けられる第１のフロントカバーと、前記第１のフロントカバーの前面側に取付けられる第２のフロントカバーを含み、
前記第１の空気通路層と前記収納室が前記第１のフロントカバーの後側に位置し、
前記第２の空気通路層が前記第１のフロントカバーの前面側に位置してもよい。
【００１１】
また、前記リアケースは、後壁と、前記後壁の上部から前へ延出する収納室壁と、前記後壁から前へ延出する第１の空気通路壁とを含み、
前記第１のフロントカバーがカバープレートと前記カバープレートから前へ延出する第２の空気通路壁とを含み、且つ
前記後壁、前記収納室壁と前記カバープレートによって前記収納室を区画し、
前記後壁、前記第１の空気通路壁と前記カバープレートによって前記複数の第１の空気通路を区画し、
前記カバープレート、前記第２の空気通路壁及び前記第２のフロントカバーによって１つまたは複数の前記第２の空気通路を区画し、且つ前記カバープレート上に少なくとも１つの連通穴が配置され、各前記第２の空気出口は、各前記第２の空気出口が１つの前記連通穴を介して１つまたは複数の前記第２の空気通路と連通するように、１つの前記連通穴と位置をあわせ、
前記空気通路部材は、前記リアケースの下端から前へ延出し、且つ一本又は複数本の空気戻り通路を有する空気戻り通路ケースを含んでもよい。
【００１２】
また、前記送風装置は、気流を前記空気入口から前記周壁部内に流入させるように構成される遠心ファンを更に含んでもよい。
【００１３】
また、前記送風装置は、前記周壁部に対して回転可能に前記周壁部内に配置され、異なる移動位置で各前記第１の空気出口を完全に遮蔽、部分的に遮蔽または完全に露出させることによって、前記複数の第１の空気出口のそれぞれの送風面積を調整する調整部を更に含んでもよい。
【００１４】
また、前記第２の空気出口の数は複数であり、複数の前記第２の空気出口が前記第１の軸方向端部の周方向に沿って順次配置され、且つ
前記周壁部の２つの隣接する前記第２の空気出口のそれぞれの間の周壁セグメント上に１つの前記第１の空気出口が配置されてもよい。
【発明の効果】
【００１５】
本発明の冷蔵庫では、空気通路部材が複数層の空気通路を有するので、気流が複数層の空気通路を介して冷蔵庫の貯蔵空間に流れ、特に貯蔵空間の複数の箇所に流れ易く、送風位置の設計が特に便利になり、合理的な位置に送風することができる。さらに、各空気通路の流路が比較的短く、風抵抗を著しく減少させ、送風の円滑性を改善し、食品のための最適化貯蔵環境を提供し、食品の栄養損失を減少し、そして冷蔵庫の電力消費を減少し、エネルギーを節約でき、騒音を減少することができる。
【００１６】
また、本発明の冷蔵庫では、送風装置が調整部を有するので、一部又は全部の送風口の気流量を調整でき、さらに貯蔵空間への送風量を調整することができ、例えば既存の空冷式冷蔵庫のファン、複数のダンパーなどの構造を省略することができる。そして貯蔵空間への送風量を一括制御して合理的に送風量を分配することができ、冷蔵庫の冷却効果及び鮮度保持効果を向上させることができる。送風装置内のファンの設計によって冷蔵庫の構造がさらにコンパクトになり、貯蔵空間の容積を効果的に拡大することができる。
【００１７】
以下図面を参照して本発明の具体的な実施形態に対する詳細な説明によって、本発明の上記並びに他の目的、利点及び特徴は当業者には明らかであろう。
【図面の簡単な説明】
【００１８】
本発明のいくつかの特定の実施形態は、限定ではなく例として以下に図面を参照し詳細に説明される。図面中の同じ参照番号は、同じまたは類似の部分を示す。当業者は、これらの図面が必ずしも一定の縮尺で描かれていないことを理解すべきである。
【図１】本発明の一実施形態の冷蔵庫の模式的構造図である。
【図２】図１に示す冷蔵庫中の送風装置が空気通路部材に取付けられた状態の構造図である。
【図３】図２に示す構造の模式的分解図である。
【図４】図３に示す空気通路部材中の送風装置が底部ケースに取付けられる模式的構造図である。
【図５】図３に示す送風装置の模式的構造図である。
【図６】図５に示す送風装置の模式的分解図である。
【発明を実施するための形態】
【００１９】
図１は本発明の一実施形態の冷蔵庫の模式的構造図である。図１に示すように、本発明の実施形態は冷蔵庫を提供する。該冷蔵庫は筐体１００、空気通路部材２００及び冷却システムを有し得る。筐体１００内に冷却空間及び少なくとも１つの貯蔵空間を有し得る。冷却システムは冷却空間内に配置される蒸発器を有する圧縮式冷却システムであり得る。当業者に知られているように、冷却システムは半導体冷却システムのような他の種類の冷却システムでもあり得、半導体冷却システムのコールドエンドディフューザが冷却空間内に配置され得る。空気通路部材２００は筐体１００に取付けられ得る。空気通路部材２００内に前記筐体１００の縦方向に沿って順次配置される複数の空気通路層を有し得る。各前記空気通路層は１つまたは複数の空気通路を有し、且つ前記冷却空間から流出する気流が各前記空気通路層の１つまたは複数の前記空気通路を介して少なくとも１つの前記貯蔵空間に流れる。
【００２０】
本発明のいくつかの実施形態では、冷蔵庫は更に送風装置３００を含む。空気通路部材２００内に送風装置３００を収納するための収納室を有する。複数の空気通路層は、図２、図３及び図４に示すように、第１の空気通路層と、第１の空気通路層前面側に位置する第２の空気通路層を含む。第１の空気通路層は複数の第１の空気通路を含み、第２の空気通路層は１つまたは複数の第２の空気通路を含む。送風装置３００は、図３に示すように、空気通路部材２００の収納室内に取付けられる。送風装置３００は、図５及び図６に示すように、周壁部３１０と、周壁部３１０の前端に配置される第１の軸方向端部３２０を有し得る。周壁部３１０は筐体１００の縦方向に沿って延出し、即ち周壁部３１０の軸線方向は筐体１００の縦方向に沿って延びる。周壁部３１０上に複数の第１の空気出口３１１が配置され、第１の軸方向端部３２０上に少なくとも１つの第２の空気出口３２１が配置される。冷却空間から流出する気流が送風装置３００の複数の第１の空気出口３１１及び空気通路部材２００の複数の第１の空気通路を介して少なくとも１つの貯蔵空間に流れる。冷却空間から流出する気流が送風装置３００の少なくとも１つの第２の空気出口３２１及び空気通路部材２００の１つまたは複数の第２の空気通路を介して少なくとも１つの貯蔵空間に流れる。
【００２１】
例えば、本発明のいくつかの実施形態では、少なくとも１つの貯蔵空間は上方の冷蔵空間１１０と下方の冷凍空間１３０を含み、冷凍空間１３０も上下に順次配置される４層の空間に分割される。いくつかの実施形態では、上下に順次配置される４層の空間が順次上層トレイ空間、上層引き出し空間、下層トレイ空間及び下層引き出し空間である。即ち、少なくとも１つの貯蔵空間は、上から下へ順次配置される上層トレイ空間、上層引き出し空間、下層トレイ空間及び下層引き出し空間、ならびに上層トレイ空間の上方に配置される冷蔵空間１１０を含む。上層トレイ空間と下層トレイ空間にそれぞれ１つのトレイが配置され、上層引き出し空間と下層引き出し空間にそれぞれ１つの引き出しが配置され、冷蔵空間１１０と冷凍空間１３０の間に温度可変空間１２０が配置され、且つ仕切りが設けられて分離され、上層引き出し空間と下層トレイ空間の間にも仕切りが設けられている。いくつかの代替の実施形態では、上下に順次配置される４層の空間は仕切りだけで分離されてもよい。
【００２２】
さらに、いくつかの実施形態では、第１の空気通路層の複数の第１の空気通路は、冷凍空間の複数の位置で冷凍空間と連通し、第２の空気通路層の１つまたは複数の第２の空気通路も冷凍空間の複数の位置で冷凍空間と連通してもよい。他の実施形態では、第１の空気通路層の複数の第１の空気通路は冷凍空間の複数の位置で冷凍空間と連通し、第２の空気通路層の１つまたは複数の第２の空気通路は冷蔵空間と連通してもよい。送風装置３００と空気通路部材２００の特別な構造によって、気流が２層の空気通路を介して冷蔵庫の貯蔵空間に流れ、特に貯蔵空間の複数の位置まで流れ易く、送風位置の設計が特に便利になり、合理的な位置へ送風可能である。送風装置３００の第１の空気出口３１１と第２の空気出口３２１の位置設計によって、特に２層の空気通路へ送風し易く、設計が合理的であり、構造がコンパクトである。
【００２３】
また、図５及び図６に示すように、送風装置３００は、周壁部３１０の後端に配置され空気入口が設けられる第２の軸方向端部３３０を更に含む。好ましくは、冷却空間が空気通路部材２００の後側に位置している。よりコンパクトな冷蔵庫の構造を得るように、収納空間が後側へ開口し、空気入口が冷却空間へ開口することが望ましい。
【００２４】
本発明のいくつかの実施形態では、第１の空気出口３１１一部又は全部の各第１の空気出口３１１が２つの第１の空気通路と連通し、該第１の空気出口３１１からの気流が貯蔵空間の後部の横方向の両側に流れ、気流が貯蔵室内でできるだけ均一に分配されるようになっている。
【００２５】
本発明のいくつかの実施形態では、図３及び図４に示すように、空気通路部材２００は、各第１の空気通路の端部に配置され前方へ開口した第１の送風口２２３と、各前記第２の空気通路の端部に配置され前方へ開口した第２の送風口２３１とを更に有する。空気通路部材２００の前面側を貯蔵空間とすることによって、特に貯蔵空間への送風が便利である。例えば、空気通路部材２００の前面側を冷凍空間とし、空気通路部材２００から冷凍空間へ気流を供給する。本発明のいくつかの代替の実施形態では、第１の空気通路の送風口の一部または第２の空気通路の送風口の一部は、他の空気通路と連通し冷蔵空間又は他の空間への送風を容易にするために空気通路部材の上端面に配置され得る。
【００２６】
本発明のいくつかの実施形態では、図３及び図４に示すように、収納室は空気通路部材２００の中央部または上部に位置している。複数の第１の空気出口は空気出口１、空気出口２及び空気出口３を含み、空気出口１が周壁部３１０の下側に配置され、空気出口２及び空気出口３が空気出口１の両側に配置されている。複数の第１の空気通路は空気通路１２４１、空気通路２２４２、空気通路３２４３及び空気通路４２４４を含む。空気通路１２４１は空気出口２から空気通路部材２００の上部の横方向の一方側へ延出し、空気通路２２４２は空気出口２から上方へ延出した後に収納室の上側から空気通路部材２００の上部の横方向の他方側へ延出する。空気通路３２４３は空気出口１から下方へ延出する。空気通路４２４４は空気出口３から下方へ延出し、且つ空気通路４２４４の端部が空気通路３２４３の端部の下方に位置している。複数の第２の空気通路は空気通路５２５１及び空気通路６２５２を含み、第２の空気出口が複数であり、第２の空気通路層は、第１の軸方向端部３２０の前面側に配置され且つ複数の第２の空気出口と連通する収集室２５３を更に有する。空気通路５２５１及び空気通路６２５２の両方は、それぞれ、収集室２５３の上側周壁から空気通路部材の上部の横方向の両側へ延出し、且つ空気通路５２５１の端部及び空気通路６２５２の端部はそれぞれ空気通路１２４１と空気通路２２４２の上方に位置している。さらに、空気通路５２５１及び空気通路６２５２は上層トレイ空間と連通している。空気通路１２４１及び空気通路２２４２は上層引き出し空間と連通している。空気通路３２４３は下層トレイ空間と連通している。空気通路４２４４は下層引き出し空間と連通している。
【００２７】
本発明のいくつかの実施形態では、図３及び図４に示すように、空気通路部材２００は、リアケース２１０と、リアケース２１０の前面側に取付けられる第１のフロントカバー２２０と、第１のフロントカバー２２０の前面側に取付けられる第２のフロントカバー２３０とを含む。第１の空気通路層及び収納室は第１のフロントカバー２２０の後側に位置している。第２の空気通路層は第１のフロントカバー２２０の前面側に位置している。第１のフロントカバー２２０はリアケース２１０と係合し、第２のフロントカバー２３０はネジ等の固定手段によって第１のフロントカバー２２０及びリアケース２１０に固定される。リアケース２１０は筐体に嵌め込むことができる。
【００２８】
また、リアケース２１０は、後壁２１１１と、後壁２１１１の中央部または上部から前方へ延出する収納室壁２１１２と、後壁２１１１から前方へ延出する第１の空気通路壁２１１３とを有する。第１のフロントカバー２２０は、カバープレート２２１と、カバープレート２２１から前方へ延出する第２の空気通路壁２２２とを有する。後壁２１１１、収納室壁２１１２及びカバープレート２２１によって上記収納室を区画する。後壁２１１１、第１の空気通路壁２１１２及びカバープレート２２１によって複数の第１の空気通路を区画する。カバープレート２２１、第２の空気通路壁２２２及び第２のフロントカバー２３０によって１つまたは複数の第２の空気通路を区画する。カバープレート２２１上に少なくとも１つの連通穴２２１１が設けられており、各第２の空気出口３２１は、各第２の空気出口３２１が１つの連通穴２２１１を介して１つまたは複数の前記第２の空気通路と連通するように、１つの連通穴２２１１と位置をあわせる。具体的には、各第２の空気出口３２１は１つの連通穴２２１１を介して収集室２５３と連通している。第２の空気出口３２１は３つであってもよい。
【００２９】
本発明のいくつかの先進的な実施形態では、各第１の空気通路の少なくとも端部部分は、各第１の送風口２２３が水平縦方向に沿って延出する細長い送風口になるように、気流の流れ方向に沿って徐々に拡大している。各第１の送風口２２３内にも、送風口が複数の送風穴になるように仕切りが設けられてもよい。各第１の送風口２２３はカバープレート２２１上に配置されてもよい。各第２の送風口２３１も水平縦方向に延出する細長い送風口、各第２の送風口２３１は第２のフロントカバー２３０上に配置されてもよい。さらに、リアケース２１０の下端に前方へ延出する空気戻り通路ケース２１３が設けられ、空気戻り通路ケース２１３は１本又は複数本の空気戻り通路２１３１を有する。空気戻り通路ケース２１３まず前方へ延出した後下へ斜めに延出し、筐体１００の下部の圧縮機室の形状に合うようになっている。
【００３０】
本発明のいくつかの実施形態では、リアケース２１１の後壁２１１１は中下壁部と、上壁部と連結壁部とを含む。中下壁部が上壁部の前面側に位置し、連結壁部が中下壁部の上端と上壁部の下端を連結している。このように配置すれば、設計が合理的であり、蒸発器等を配置するための大きなスペースを提供することができ、そして送風装置３００の設定を容易にすることができる。
【００３１】
本発明のいくつかの代替の実施形態では、カバープレート２２１上にも、対応する１つの第１の空気通路の先端と端部の間の任意の位置と連通する前方へ開口した複数の第３の送風口が設けられ得、即ち、一部の第１の空気通路はその端部が貯蔵室と連通してもよく、他の位置で貯蔵室と連通してもよい。同様に、第２のフロントカバー２３０上に、対応する１つの第２の空気通路の先端と端部の間の任意の位置と連通する前方へ開口した複数の第４の送風口が設けられてもよい。
【００３２】
本発明のいくつかの実施形態では、図５及び図６に示すように、送風装置３００は、気流を空気入口から周壁部３１０内へ流れるように構成されるファン３６０を更に含む。ファン３６０は遠心ファンであることが好ましい。送風装置３００内におけるファン３６０の設計によって、冷蔵庫の構造をさらにコンパクトにすることができ、貯蔵空間の容積を効果的に拡大することができる。本発明のいくつかの好ましい実施形態では、送風装置３００は、複数の第１の空気出口３１１の送風面積を調整するように、周壁部３１０に対して回転可能に周壁部３１０内に配置され、異なる移動位置で各第１の空気出口３１１を完全に遮蔽、部分的遮蔽または完全に露出させる調整部３５０を更に含む。調整部３５０を配置することにより、貯蔵空間への送風量を一括に制御することができ、合理的に送風量を分配し、冷蔵庫の冷却効果、及び鮮度保持効果を向上させることができる。
【００３３】
本発明のいくつかの実施形態では、周壁部３１０は好ましくは円筒形状であり、第１の軸方向端部３２０及び第２の軸方向端部３３０中の一方が周壁部３１０と一体成形し、他方が周壁部３１０に嵌め込まれる。周壁部３１０、第１の軸方向端部３２０と第２の軸方向端部３３０の全体構造は、送風装置３００のハウジングとも呼ばれる。複数の第２の空気出口３２１は、第１の軸方向端部３２０の周方向に沿って順次配置され、均一に順次配置されることが好ましい。もちろん、複数の第２の空気出口３２１を第１の軸方向端部３２０の周方向に沿って偏在させてもよい。さらに、第１の軸方向端部３２０は中央部とその外側の周辺部とを有し、各第２の空気出口３２１が送風のために周辺部に配置されている。ファン３６０が中央部に取付けられる。各第２の空気出口３２１は、第１の軸方向端部３２０の周方向に延びる環状のセグメント形状を有することが好ましい。
【００３４】
本発明のいくつかの実施形態では、１つの第１の空気出口３１１は、２つの隣接する第２の空気出口３２１の間の周壁部３１０の周壁セグメント上に配置されている。これにより、周壁部３１０内に流入する気流を十分に利用し、第２の空気出口３２１に流入する気流量や送風円滑性を確保でき、第１の空気出口３１１及び第２の空気出口３２１に流入した気流の干渉を避けて、大きな騒音などの不具合を防止することができる。
【００３５】
各第２の空気出口３２１にできるだけ軸方向送風をさせる、即ち各第２の空気出口３２１を軸方向に送風するように構成するために、周辺部については平板部と少なくとも１つの案内部３２２とを含むように配置される。平板部上に少なくとも１つの第２の空気出口３２１が配置されている。さらに、いくつかの実施形態では、案内部３２２のそれぞれは、周壁部３１０に隣接する第２の空気出口３２１の縁部から第１の軸方向端部３２０の内側かつ周壁部３１０の軸線に向かって斜めに延出する。案内部３２２は板状であり、案内板とも呼ばれる。また、各案内部３２２の両端に案内遮蔽板を配置してもよい。他の実施形態では、各案内部３２２は、第２の空気出口３２１の周壁部３１０から離れる縁部から第１の軸方向端部３２０の外側かつ周壁部３１０の軸線から離れる方向へ斜めに延出する。案内部３２２は板状であり、案内板とも呼ばれる。さらに、各案内部３２２の両端に案内遮蔽板を配置してもよい。案内部３２２の傾斜角度は３０°〜６０°、好ましくは４０°、４３°、４５°、４７°、５０°等である。中央部は平板状であり得る。いくつかの代替の実施形態では、案内部３２２は、第１の軸方向端部３２０の構造を単純化するため、または第１の軸方向端部３２０の設計を容易にするために、気流の流れをガイドする案内面のみであり得る。
【００３６】
本発明のいくつかの実施形態では、調整部３５０は、第１の軸方向端部３２０の周方向に間隔を空けて配置される１つまたは複数の遮蔽部３５１と、少なくとも１つの循環部３５２とを含み得る。遮蔽部３５１及び循環部３５２は、第１の軸方向端部３２０の周方向に順次配置され、且つ１つまたは複数の遮蔽部３５１及び少なくとも１つの循環部３５２は円筒形状構造を囲む。また、調整部３５０は周壁部３１０の内側に配置され、１つまたは複数の遮蔽部３５１は異なる回転位置に回転すると各第１の空気出口３１１を完全に遮蔽、部分的遮蔽または完全に露出させ、少なくとも１つの循環部３５２を介して気流を部分的遮蔽または完全に露出した第１の空気出口３１１に流入させる。
【００３７】
具体的には、遮蔽部３５１を遮蔽片とし、隣接する２つの遮蔽片同士の間隔、切り欠けまたは穴を循環部３５２とすることができ、特に、遮蔽部３５１が１つだけの場合、対応する循環部３５２も１つだけである。例えば、調整部３５０は基部と、基部上に配置される遮蔽片とを含んでもよい。また、例えば、調整部３５０は管状部材を含み、かつ管状部材上に複数の循環部３５２が開設される。強度を高めるために、管状部材の両端にも基部を設けてもよい。さらに、基部は第１の軸方向端部３２０または第２の軸方向端部３３０への回転装着に使用される。例えば、第１の軸方向端部３２０または第２の軸方向端部３３０の内面上に環状溝を設け、環状溝に挿入して回転するために、基部にその環状溝に対応する環状突起を設けてもよい。あるいは、基部は周壁部３１０の一端に回転可能に取付けられ、周壁部３１０が第１の軸方向端部３２０と一体的に成形されている場合に、基部は周壁部３１０の第２の軸方向端部３３０に近接する一端に回転可能に取付けられる。
【００３８】
本発明のいくつかの実施形態では、送風装置３００はさらにモータ３７０と伝達機構を含み得る。モータ３７０は、周壁部３１０の径方向外側に配置される。伝達機構は、モータ３７０から出力した回転移動を調整部３５０に伝達するように構成されている。例えば、伝達機構はギア伝達機構であり、調整部３５０の基部上にリングギア３８０（リングギア３８０は基部と一体に成形されてもよい）が設けられ、モータ３７０の出力端にギアが設けられ、ギアとリングギア３８０の噛み合いによって、モータ３７０はリングギア３８０を駆動し回転させて調整部３５０を回転させる。また、周壁部３１０の外側にモータ３７０を収納するためのモータ収納部を配置してもよい。
【００３９】
本発明のいくつか実施形態では、空気出口２、空気出口１及び空気出口３は第１の軸方向端部３２０の周方向かつ時計回りの方向（観察者が第１の軸方向端部３２０から第２の軸方向端部３３０を見る視線を基準とし、即ち前後方向に観察する場合の視線を基準とする）に沿って順次間隔を空けて配置される。そして、空気出口２と他の２つの第１の空気出口３１１の間の距離は、１つの第１の空気出口３１１の長さとすることができる。調整部３５０において、遮蔽部３５１及び循環部３５２の数は３つである。３つの遮蔽部３５１は、それぞれ第１の遮蔽部、第２の遮蔽部及び第３の遮蔽部である。３つの循環部３５２は、それぞれ第１の循環部、第２の循環部及び第３の循環部である。遮蔽部３５１と循環部３５２とは、第１の軸方向端部３２０の周方向かつ反時計回り方向に沿って順次間隔を空けて配置される。第１の遮蔽部及び第２の遮蔽部は両方とも１つの第１の空気出口３１１に相当するサイズの領域を完全に遮蔽することを可能にするように構成される。第３の遮蔽部は、少なくとも２つの第１の空気出口３１１に相当するサイズの領域を完全に遮蔽する、例えば第３の遮蔽部は２つの第１の空気出口３１１に相当するサイズの領域を遮蔽することを可能にするように構成される。第１の遮蔽部と第２の遮蔽部の間の循環部は第１の循環部であり、１つの第１の空気出口３１１に相当するサイズの領域を完全に露出することを可能にするように構成される。第２の遮蔽部と第３の遮蔽部の間の循環部は第２の循環部であり、１つの第１の空気出口３１１に相当するサイズの領域を完全に露出することを可能にするように構成される。第３の遮蔽部と第１の遮蔽部の間の循環部は第３の循環部である。動作する場合に、調整部３５０の回転によって異なる第１の空気出口３１１を開き、例えば第１の遮蔽部が空気出口１を遮蔽した時に、空気出口２と空気出口３が開き状態にあり、また、第２の遮蔽部が空気出口１を遮蔽した時に、空気出口２と空気出口３が閉じ状態にある。
【００４０】
本発明のいくつかの代替の実施形態では、空気出口１と他の２つの第１の空気出口３１１の間の距離は１つの第１の空気出口３１１の長さの１／７〜１／１０である。調整部３５０において、遮蔽部３５１と循環部３５２の数は２つである。２つの遮蔽部３５１はそれぞれ第１の遮蔽部、第２の遮蔽部である。２つの循環部３５２はそれぞれ第１の循環部、第２の循環部である。遮蔽部３５１及び循環部３５２は第１の軸方向端部３２０の周方向かつ時計回りの方向に沿って順次間隔を空けて配置される。第１の遮蔽部は１つの第１の空気出口３１１を完全に遮蔽することを可能にするように構成される。第２の遮蔽部は少なくとも２つの第１の空気出口３１１を完全に遮蔽する、例えば第２の遮蔽部は３つの第１の空気出口３１１及び２つの第１の空気出口３１１の間の周壁部３１０の連結セグメントを遮蔽することを可能にするように構成される。第１の循環部は１つの第１の空気出口３１１を完全に露出するように構成される。第２の循環部は３つの第１の空気出口３１１を完全に露出するように構成される。動作する場合に、調整部３５０の回転によって異なる第１の空気出口３１１を開き、例えば第１の遮蔽部は空気出口１を遮蔽した時に、空気出口２及び空気出口３が開き状態にあり、また例えば、第１の循環部は空気出口１を開いた時に、空気出口２及び空気出口３が閉じ状態にある。
【００４１】
本発明のいくつかの実施形態では、複数の第１の空気出口３１１のうちの任意の２つの第１の空気出口３１１のサイズは、等しくても等しくなくてもよい。複数の第２の空気出口３２１のうちの任意の２つの第２の空気出口３２１のサイズは、等しくても等しくなくてもよい。
【００４２】
以上、当業者には理解されるように、本発明の多くの例示的実施形態を説明したが、本発明の精神や範囲を逸脱しない限り、本発明の開示内容に基づき本発明の原理と一致する他の多くの変形や修正を直接決定または導出することが可能である。従って、これらの変形や修正の全ては本発明の範囲に含まれるように理解及び解釈されるべきである。
【図１】
0006823202.tif 000002
【図２】
0006823202.tif 000003
【図３】
0006823202.tif 000004
【図４】
0006823202.tif 000005
【図５】
0006823202.tif 000006
【図６】
0006823202.tif 000007